(57)【特許請求の範囲】
【請求項１】
人頭を覆う帽体と、該帽体の下縁側内面に設けられた連結部を介して該帽体に連結されて人頭に接し、該帽体と人頭との間に空隙を形成する少なくともハンモック及びヘッドバンドとを備えるヘルメットであって、
前記帽体の後部側において、該帽体と前記ヘッドバンドとの間を挿通する供給管と、
前記ヘルメットのユーザに携帯され、前記供給管の一端に冷却用気体を供給するエアポンプと、
前記供給管の他端から少なくとも左右に分岐して、前記帽体と前記ハンモックとの間の左右側頭部に回り込む一対の左右分岐管と、
前記一対の左右分岐管に設けられ、前記供給管を介して供給された冷却用気体を吹き出す複数の吹出口と
を備え、
前記一対の左右分岐管は、裏面を前記帽体の内面に臨ませた中空の板状チューブであって、前記ヘッドバンドと前記帽体内面の頂部側に設けられた衝撃吸収ライナとの間で且つ前記ハンモックと前記帽体との間の空間に配置され、該空間を埋めるように、該板状チューブの幅がヘッドバンドと該衝撃吸収ライナとの間隔より小さく、長さが該衝撃吸収ライナの前頭部側端部より短く、厚みがハンモックと帽体との間隔よりも小さく、
前記吹出口は、前記一対の左右分岐管の表面に、その開口面積が該一対の左右分岐管の根元から先端に向かって増加するように設けられていることを特徴とするヘルメット。
【請求項２】
請求項１記載のヘルメットであって、
前記一対の左右分岐管が前記帽体の一部として該帽体と一体に形成され、該帽体に該一対の左右分岐管と前記供給管と連結する連結部が設けられていることを特徴とするヘルメット。
【請求項３】
請求項１または２記載のヘルメットにおいて、
前記供給管の管路に冷却器を介在させ、前記エアポンプから供給された冷却用気体を冷却して前記一対の左右分岐管に供給することを特徴とするヘルメット。
【発明の詳細な説明】
【技術分野】
【０００１】
本発明は、人頭を覆う帽体と、該帽体の下縁側内面に設けられた連結部を介して該帽体に連結されて人頭に接し、該帽体と人頭との間に空隙を形成する少なくともハンモック及びヘッドバンドとを備えるヘルメットの冷却装置に関する。
【背景技術】
【０００２】
従来、この種のヘルメットとしては、例えば、日本工業規格Ｔ８１３１：２０００付属書２における人頭模型に伝わる衝撃力に関する衝撃吸収性の規定を満たす転倒・転落時保護用安全帽であるヘルメットがある。
【０００３】
かかるいわゆる産業用ヘルメットは、硬質の帽体と、帽体の内面に設けられた衝撃吸収ライナと、人頭に接するハンモック、ヘッドバンド、環ひも等からなる着装体とを備えている。（例えば、特許文献１参照）。
【先行技術文献】
【特許文献】
【０００４】
【特許文献１】特開平８−３１１７１３号公報
【発明の概要】
【発明が解決しようとする課題】
【０００５】
しかし、帽体と着装体との間に衝撃吸収ライナが設けられていると、帽体と人頭との間の空隙が僅かとなることから、ヘルメット内部の通気性が悪く、衝撃吸収ライナにより放熱も阻害される。このため、ヘルメット内部に熱こもりや蒸れが生じて着用時の快適性が損なわれる不都合がある。これは、衝撃吸収ライナに代えて、他の衝撃吸収部材を帽体と着装体との間に介在させる場合も同様である。
【０００６】
そこで、本発明は、ヘルメット内部の熱こもりや蒸れを解消することができるヘルメットを提供することを目的とする。
【課題を解決するための手段】
【０００７】
第１発明のヘルメットの冷却装置は、人頭を覆う帽体と、該帽体の下縁側内面に設けられた連結部を介して該帽体に連結されて人頭に接し、該帽体と人頭との間に空隙を形成する少なくともハンモック及びヘッドバンドとを備えるヘルメットであって、
前記帽体の後部側において、該帽体と前記ヘッドバンドとの間を挿通する供給管と、
前記ヘルメットのユーザに携帯され、前記供給管の一端に冷却用気体を供給するエアポンプと、
前記供給管の他端から少なくとも左右に分岐して、前記帽体と前記ハンモックとの間の左右側頭部に回り込む一対の左右分岐管と、
前記一対の左右分岐管に設けられ、前記供給管を介して供給された冷却用気体を吹き出す複数の吹出口と
を備え、
前記一対の左右分岐管は、裏面を前記帽体の内面に臨ませた中空の板状チューブであって、前記ヘッドバンドと前記帽体内面の頂部側に設けられた衝撃吸収ライナとの間で且つ前記ハンモックと前記帽体との間の空間に配置され、該空間を埋めるように、該板状チューブの幅がヘッドバンドと該衝撃吸収ライナとの間隔より小さく、長さが該衝撃吸収ライナの前頭部側端部より短く、厚みがハンモックと帽体との間隔よりも小さく、
前記吹出口は、前記一対の左右分岐管の表面に、その開口面積が該一対の左右分岐管の根元から先端に向かって増加するように設けられていることを特徴とする。
【０００８】
第１発明のヘルメットによれば、供給管を介して供給された冷却用気体が、帽体とハンモックとの間の左右側頭部に回り込む一対の左右分岐管の複数の吹出口から吐き出される。
【０００９】
ここで、帽体と着装体であるヘッドバンドやハンモックの間には、衝撃吸収ライナやこれに代わる衝撃吸収部材が設けられるが、一対の左右分岐管を中空の板状チューブとすることで、衝撃吸収ライナやこれに代わる衝撃吸収部材との干渉を回避してヘルメット全体に冷却用気体を供給することができる。
【００１０】
また、エアポンプをユーザが携帯可能な可搬型エアポンプとした場合には、エアコンプレッサーとは異なり強力な空気圧を得ることはできないところ、複数の吹出口を開口面積が一対の左右分岐管の根元から先端に向かって増加するように設けることで、先端側でも十分な風量を確保することでき、ヘルメット全体に冷却用気体を供給することができる。
【００１１】
このように、第１発明のヘルメットによれば、ヘルメット内部の熱こもりや蒸れを解消することができる。
【００１２】
第２発明のヘルメットは、第１発明において、
前記一対の左右分岐管が前記帽体の一部として該帽体と一体に形成され、該帽体に該一対の左右分岐管と前記供給管と連結する連結部が設けられていることを特徴とする。
【００１３】
第２発明のヘルメットによれば、例えば、帽体を一部二重構造にするなどして、一対の左右分岐管が帽体の一部として帽体と一体に形成することで、ヘルメットの冷却構造を簡易に実現することができる。
【００１４】
このように、第２発明のヘルメットによれば、ヘルメット内部の熱こもりや蒸れを簡易に解消することができる。
【００１５】
第３発明のヘルメットは、第１または第２発明において、
前記供給管の管路に冷却器を介在させ、前記エアポンプから供給された冷却用気体を冷却して前記一対の左右分岐管に供給することを特徴とする。
【００１６】
第３発明のヘルメットによれば、供給管の管路に冷却器を介在させ、エアポンプから供給された冷却用気体を冷却することができ、これを一対の左右分岐管の吹出口からヘルメット全体に吹き出させることができる。
【００１７】
このように、第３発明のヘルメットによれば、ヘルメット内部の熱こもりや蒸れを確実に解消することができる。
【図面の簡単な説明】
【００１８】
【図１】本発明の実施形態のヘルメットの冷却装置の全体構成を示す説明図。
【図２】本実施形態のヘルメットの冷却装置のヘルメット内の構成を示す説明図。
【発明を実施するための形態】
【００１９】
本発明のヘルメットの冷却装置の一実施形態について図面に基づいて説明する。
【００２０】
図１に模式的に示すように、本実施形態のヘルメットの冷却装置は、ヘルメットＡに冷却用気体を供給する装置であって、供給管１と、エアポンプ２と、一対の左右分岐管３ａ，３ｂと、一対の左右分岐管３ａ，３ｂに設けられた吹出口４と、冷却器５とを備える。
【００２１】
次に、図２を参照して、各構成要素の詳細を説明する。
【００２２】
ヘルメットＡは、人頭を覆う硬質の帽体Ｂと、帽体Ｂと人頭との間に空隙を形成する少なくともハンモックＣ及びヘッドバンドＤとを備える。ヘッドバンドＤの後方には、環状のヘッドバンドＤの径を調整するサイズ調整機構Ｄ´が設けられている。
【００２３】
また、ヘルメットＡは、衝撃吸収部材として、例えば、帽体Ｂ内の頭頂部から前頭部および後頭部を覆うように形成された発泡スチロール製の衝撃吸収ライナＥを備える。なお、衝撃吸収部材は、衝撃吸収ライナＥに限定されるものではなく、例えば、衝撃吸収ブロックを帽体ＢとハンモックＣとの間に部分的に設けるようなものであってもよい。
【００２４】
かかるヘルメットＡに対して、供給管１は、一端が冷却器５に接続されると共に他端が一対の左右分岐管３ａ，３Ｂに接続される可撓性を有する中空のチューブ（例えば、シリコンチューブ）であって、帽体Ｂの後部側において、帽体ＢとヘッドバンドＤ（正確には、サイズ調整機構Ｄ´）との間を挿通する。
【００２５】
エアポンプ２は、ヘルメットＡのユーザ（作業者）の腰ベルトへの装着、または胸ポケット等への収納により携帯可能な可搬型のエアポンプのである。エアポンプ２は、例えば、充電式のバッテリーまたは乾電池により駆動される内部モータを利用したダイアフラム方式、ピストン方式やロータリーベーン方式等のポンプである。
【００２６】
一対の左右分岐管３ａ，３ｂは、可撓性を有する中空の板状チューブであって、ジョイント部３´を介して供給管１と連通するように接続される。
【００２７】
また、一対の左右分岐管３ａ，３ｂは、ヘッドバンドＤと衝撃吸収ライナＥとの間で、且つ、ハンモックＣと帽体Ｂとの間となる空間Ｆにおいて、裏面を帽体Ｂの内面に臨ませ、先端が帽体Ｂの前部に向かって延びるように配置される。
【００２８】
一方、一対の左右分岐管３ａ，３ｂの表面には、供給管１を介して供給された冷却用気体を吹き出す複数の吹出口４が設けられている。
【００２９】
吹出口４は、その開口面積が一対の左右分岐管３ａ，３ｂの根元から先端に向かって増加するように設けられている。
【００３０】
ここで、図２において、吹出口４は、その１つ１つの開口面積が一対の左右分岐管３ａ，３ｂの根元から先端に向かって徐々に増加するように構成しているが、これに限定されるものではなく、吹出口４の１つ１つの開口面積を同じくして、その吹出口４の単位面積当たりの数を増加させることにより、吹出口４の開口面積が一対の左右分岐管３ａ，３ｂの根元から先端に向かって増加するように構成してもよい。
【００３１】
冷却器５は、例えば、冷却媒体が断熱空間に収納されたケーシングであって、一端がエアポンプ２に接続されると共に、他端が供給管１に接続されて、該断熱空間内またはその隣接位置をエアポンプ２から供給された冷却用気体が通過して冷却される構成となっている。
【００３２】
なお、冷却器５は、冷却媒体（冷却材）を収納するものに限定されるものではなく、ペルチェ素子などを用いた電子冷却により、冷却用気体を冷却する構成としてもよい。
【００３３】
また、冷却器５は、必ずしも必須の構成ではなく、冷却器５を省略して、エアポンプ２から供給された冷却用気体をそのまま供給管１を介して吹出口４から吹き出させるようにしてもよい。
【００３４】
以上のように構成された本実施形態のヘルメットの冷却装置によれば、エアポンプ２から冷却器５により冷却された冷却用気体が、帽体とハンモックＣとの間の左右側頭部に回り込む一対の左右分岐管の複数の吹出口４から吐き出される。
【００３５】
ここで、帽体Ｂと着装体であるヘッドバンドＤやハンモックＣの間には、衝撃吸収ライナＥやこれに代わる衝撃吸収部材が設けられるが、一対の左右分岐管３ａ，３ｂを中空の板状チューブとすることで、衝撃吸収ライナＥやこれに代わる衝撃吸収部材との干渉を回避してヘルメット全体に冷却用気体を供給することができる。
【００３６】
また、エアポンプ２をユーザが携帯可能な可搬型エアポンプとした場合には、エアコンプレッサーとは異なり強力な空気圧を得ることはできないところ、複数の吹出口４をの開口面積が一対の左右分岐管３ａ，３ｂの根元から先端に向かって増加するように設けることで、先端側でも十分な風量を確保することでき、ヘルメット全体に冷却用気体を供給することができる。
【００３７】
供給管１の管路に冷却器５を介在させ、エアポンプ２から供給された冷却用気体を冷却することで、これを一対の左右分岐管３ａ，３ｂの吹出口４からヘルメット全体に吹き出させることができる。
【００３８】
このように、本実施形態ヘルメットの冷却装置によれば、ヘルメット内部の熱こもりや蒸れを簡易かつ確実に解消することができる。
【００３９】
なお、本実施形態において、一対の左右分岐管３ａ，３ｂは、可撓性の平板チューブにより、帽体Ｂとは別体に構成したが、これに限定されるものではなく、例えば、帽体Ｂと同質の材料で、帽体Ｂの一部として帽体Ｂと一体に形成されてもよい。なお、この場合、帽体Ｂに一対の左右分岐管３ａ，３ｂと供給管１と連結する連結部が設けられる。
【００４０】
また、本実施形態では、供給管１からは左右２つに分岐する一対の左右分岐管３ａ，３ｂのみを有する場合について説明したが、分岐は左右２つに限定するものではない。例えば、３つ以上に分岐してもよい。
【００４１】
例えば、３つに分岐する場合には、一対の左右分岐管３ａ，３ｂに加えて、これらの間に第３の分岐管が形成され、第３の分岐管は、衝撃吸収ライナＥとハンモックＣとの間に配置することができる。
【符号の説明】
【００４２】
１…供給管、２…エアポンプ、３ａ，３ｂ…一対の左右分岐管、３´…ジョイント部、４…吹出口、５…冷却器、Ａ…ヘルメット、Ｂ…帽体、Ｃ…ハンモック、Ｄ…ヘッドバンド、Ｄ´…サイズ調整機構、Ｆ…空間。
【要約】
【課題】ヘルメット内部の熱こもりや蒸れを解消することができるヘルメットを提供する。
【解決手段】一対の左右分岐管３ａ，３ｂは、裏面を帽体Ｂの内面に臨ませた中空の板状チューブであって、吹出口４は、一対の左右分岐管３ａ，３ｂの表面に、その開口面積が該一対の左右分岐管３ａ，３ｂの根元から先端に向かって増加するように設けられている。
【選択図】図２【図１】
0006882805.tif 000002
【図２】
0006882805.tif 000003